(57)【特許請求の範囲】
【請求項１】
一定限度より小さな遅延で無線局に到達する情報ストリーム、就中、プレアンブル・ワードを含む無線フレーム群を無線局に伝送するために無線局に同期した少なくとも１つの端局を備え、前記無線局が、受信した無線フレームの直流分を評価するための評価回路を備えるとともに、受信した情報ストリームに或る値を割当てるための決定の閾値としてその評価を用いる無線通信システムにおいて、前記無線局が前記遅延を求めるための遅延決定手段と、前記評価回路を制御するための制御手段とを備えて、
前記遅延が前記遅延決定手段によって求められなかった場合には、境界が前記一定限度に基づいて規定されるとともに、該境界がプレアンブル・ワードを受信し得る最大瞬時と最小瞬時とに対応する時間間隔の期間中に前記評価を行ない、
前記遅延が前記遅延決定手段によって求められたときには、プレアンブル・ワードの期間中にのみに前記評価を行なうようにしたことを特徴とする無線通信システム。
【請求項２】
前記無線局による検出によって特に前記遅延を求めることを可能にする同期ワードを各無線フレームが付加的に含み、前記無線局が同期ワード検出回路を制御する制御手段を備えて、
前記遅延が前記遅延決定手段によって求められなかった場合には、境界が前記一定限度に基づいて規定されるとともに、該境界が前記同期ワードを受信し得る最大瞬時と最小瞬時とに対応する時間間隔の期間中に、前記無線局による検出を行ない、一旦同期ワードが検出されたときには、前記検出を解除し、
前記遅延が前記遅延決定手段によって求められたときには、同期ワードに設けた検出位置の周囲の限られた時間間隔の期間中に前記検出を行なうようにしたことを特徴とする請求項１記載の無線通信システム。
【請求項３】
前記遅延が前記遅延決定手段によって求められなかった場合に、前記評価回路の制御手段が、同期ワードを検出した瞬時に受信した無線フレームの直流分の評価を停止させることを可能にしたことを特徴とする請求項２記載の無線通信システム。
【請求項４】
ＤＥＣＴ標準に適用した請求項１乃至３のいずれかに記載の無線通信システム。
【請求項５】
一定限度より小さな遅延で無線局に到達する情報ストリーム、就中、プレアンブル・ワードを含む無線フレーム群を無線局に伝送するために無線局に同期した少なくとも１つの端局を備え、前記無線局が、受信した無線フレームの直流分を評価するための評価回路を備えるとともに、受信した情報ストリームに或る値を割当てるための決定の閾値としてその評価を用いる、無線通信システム用の無線局において、前記無線局が前記遅延を求めるための遅延決定手段および前記評価回路制御するための制御手段を備えて、
前記遅延が前記遅延決定手段によって求められなかった場合には、境界が前記一定限度に基づいて規定されるとともに、該境界がプレアンブル・ワードを受信し得る最大瞬時と最小瞬時とに対応する時間間隔の期間中に前記評価を行ない、
前記遅延が前記遅延決定手段によって求められたときには、プレアンブル・ワードの期間中にのみに前記評価を行なうようにしたことを特徴とする無線局。
【請求項６】
前記無線局による検出によって特に前記遅延を求めることを可能にする同期ワードを各無線フレームが付加的に含み、前記無線局が同期ワード検出回路を制御する制御手段を備えて、
前記遅延が前記遅延決定手段によって求められなかった場合には、境界が前記一定限度に基づいて規定されるとともに、該境界が前記同期ワードを受信し得る最大瞬時と最小瞬時とに対応する時間間隔の期間中に、前記無線局による検出を行ない、一旦同期ワードが検出されたときには、前記検出を解除し、
前記遅延が前記遅延決定手段によって求められたときには、同期ワードに設けた検出位置の周囲の限られた時間間隔の期間中に前記検出を行なうようにしたことを特徴とする請求項５記載の無線局。
【請求項７】
前記遅延が前記遅延決定手段によって求められなかった場合に、前記評価回路の制御手段が、同期ワードを検出した瞬時に受信した無線フレームの直流分の評価を停止させることを可能にしたことを特徴とする請求項６記載の無線局。
【請求項８】
受信信号の直流分を評価する前記評価回路を、低速容量素子と呼ぶ容量素子および高速容量素子と呼ぶ容量素子を含むローパスフィルタとし、前記制御手段が、前記高速容量素子を選択して評価を行なうことができ、且つ前記低速容量素子を選択して当該評価を停止し得るようにしたことを特徴とする請求項５乃至７のいずれかに記載の無線局。
【請求項９】
前記低速容量素子と前記高速容量素子とが、相互の比が数百程度となる値をそれぞれ有することを特徴とする請求項８記載の無線局。
【請求項１０】
ＤＥＣＴ標準に適用した請求項５乃至９のいずれかに記載の無線局。
【発明の詳細な説明】
【０００１】
【発明の属する技術分野】
本発明は、一定限度より小さな遅延で無線局に到達する情報ストリーム、就中、プレアンブル・ワードを含む無線フレーム群を無線局に伝送するために無線局に同期した少なくとも１つの端局を備え、前記無線局が、受信した無線フレームの直流分を評価するための評価回路を備えるとともに、受信した情報ストリームに或る値を割当てるための決定の閾値としてその評価を用いる無線通信システムに関するものである。
【０００２】
本発明は、同様に、一定限度より小さな遅延で無線局に到達する情報ストリーム、就中、プレアンブル・ワードを含む無線フレーム群を無線局に伝送するために無線局に同期した少なくとも１つの端局を備え、前記無線局が、受信した無線フレームの直流分を評価するための評価回路を備えるとともに、受信した情報ストリームに或る値を割当てるための決定の閾値としてその評価を用いる無線通信システム用の無線基地局に関するものである。
【０００３】
【従来の技術】
本発明は、無線通信の分野、特に、地理的に比較的広い領域を無線基地局がカバーすべき応用分野、例えば、公衆電気通信網に対するコードレス電話加入者接続の応用分野、特に、ＤＥＣＴ標準に基づく無線通信システムに対する応用分野に重要な用途を有するものである。実際に、この場合の無線基地局の典型的なカバレージ領域は携帯型無線機を同領域で用いた場合の基地局の最大範囲２００ｍに比べて極めて大きいと考えられる５ｋｍである。
【０００４】
この最大領域での応用では、伝送時間によってデータの受信に一定の折返し遅延が生ずることになり、ＤＥＣＴフレームにおける種々のタイムスロットの間には、ＤＥＣＴ標準、すなわち、標準ＥＴＳ３００１７５−２およびＥＴＳ３００１７５−３によって、この目的のためにガードタイムが設けられている。遅延がある場合に、基地局はノイズの受信や、より近接した携帯型端局による干渉によって妨害されるリスクを冒す。
【０００５】
特に、非同期式の周波数偏移変調（ＦＳＫ）受信の場合には、無線基地局および端局によってそれぞれ送受信される搬送波間の周波数のずれにより、復調されるベースバンドのデータに非ゼロ直流成分が生ずる。この直流分は、無線基地局の無線受信機により、受信した情報ストリームに或る値を割当てるための決定用閾値として用いられ、該直流分は周波数のずれに応じて変化する。したがって、無線基地局と端局との間の各通信毎に、この直流分を正確に評価することが必須である。遅延がある場合に、斯様な評価はノイズおよび干渉信号によって劣化されるリスクを負うことになる。
【０００６】
【課題を解決するための手段】
本発明の目的は、無線基地局が長短両領域での適用を同時に支持する無線通信システムを実現するために、この問題に対する解決策を提供することにある。
【０００７】
したがって、本発明は、冒頭に規定した無線通信システムにおいて、前記無線局が前記遅延を求めるための遅延決定手段と、前記評価回路を制御するための制御手段とを備えて、前記遅延が前記遅延決定手段によって求められなかった場合には、境界が前記一定限度に基づいて規定されるとともに、該境界がプレアンブル・ワードを受信し得る最大瞬時と最小瞬時とに対応する時間間隔の期間中に前記評価を行ない、
前記遅延が前記遅延決定手段によって求められたときには、プレアンブル・ワードの期間中にのみに前記評価を行なうようにしたことを特徴とする。
【０００８】
したがって、端局が送信を開始する場合で、しかもその端局が無線基地局から離間している距離、したがって、無線フレームの伝送遅延が決定されていない場合には、プレアンブル・ワードを含み得る時間イ間隔内にて受信した情報ストリームの全体に対して評価を行なう。その後、遅延が判明したら、そのプレアンブル・ワードのみについて評価を行なう。したがって、受信信号の直流分は干渉信号のノイズから抽出されるリスクを冒すことがない。さらに、得られる評価はプレアンブル・ワードの終端で停止させて、長い固定シーケンスのデータを伝送する場合に、評価のあらゆる偏差を避けることができる。
【０００９】
本発明の好適な実施例においては、前記無線局による検出によって特に前記遅延を求めることを可能にする同期ワード（Ｓ）を各無線フレームが付加的に含み、前記無線局が同期ワード検出回路（５０）を制御する制御手段（ＳＣ５０）を備えて、
前記遅延が前記遅延決定手段によって求められなかった場合には、境界が前記一定限度に基づいて規定されるとともに、該境界が前記同期ワードを受信し得る最大瞬時と最小瞬時とに対応する時間間隔の期間中に、前記無線局による検出を行ない、一旦同期ワードが検出されたときには、前記検出を解除し、
前記遅延が前記遅延決定手段によって求められたときには、同期ワードに設けた検出位置の周囲の限られた時間間隔の期間中に前記検出を行なうようにする。
【００１０】
したがって、遅延を求めることができるようにする同期ワードをデータフレーム内にて検出するため、受信データのタイミングがすでに判明しているのであるから、より大きい精度を得ることができる。
【００１１】
【実施例】
以下、図面を参照して実施例につき本発明を詳細に説明する。
【００１２】
ここでは、無線基地局と呼ばれる無線局が地理的区域内の多数の端局群と交信し得るようにしたＤＥＣＴ無線通信システムに基づいて、本発明を説明する。
【００１３】
本発明による無線通信システムを図１に示す。この無線通信システムは、一方では、それぞれアンテナＡ１およびＡ２を有し、例えば電話やファクシミリなどのような音声通信装置Ｅ１，Ｅ２，およびＥ３にそれぞれ接続されて、２つのビルディングＢ１およびＢ２に設置された２つの固定端局ＣＴＡ１およびＣＴＡ２を備えている。端局ＰＰ１およびＰＰ２は、データ伝送に供する固定端局であり、ビルディングＢ３に設置されて、それぞれアンテナＡ３およびＡ４を有している。端局ＰＰ１はＲＮＩＳサービスをサポートするものであり、端局ＰＰ２は、イーサネット型のコードレス・ローカルエリア・データ・ネットワークに接続するためのイーサネット・アタプタである。最後に、端局ＰＰ３は、音声サービスをサポートする携帯型端局である。
【００１４】
他方では、本発明による無線通信システムは、二つの鉄塔Ｑ１およびＱ２の頂上に設置されて集中器（集信装置）ＤＣＣに接続された２つの無線基地局ＲＦＰ１およびＲＦＰ２を備えており、この集中器ＤＣＣは、さらに、回路網インターフェース・モジュール１３を介して回路網ＲＸに接続されている。この回路網ＲＸは、例えば、音声伝送用の公衆電話交換網およびデータ転送用途用のイーサネット型回路網である。
【００１５】
したがって、交信は、一方では無線基地局ＲＦＰ１と端局ＣＴＡ１，ＰＰ１およびＰＰ２との間で行なわれ、他方では無線基地局ＲＦＰ２と端局ＣＴＡ２およびＰＰ３との間で行なわれる。
【００１６】
ＤＥＣＴ標準では、ＴＤＭＡ（時分割多重アクセス）多周波技術を用い、上述の各交信は、ＤＥＣＴフレーム内にそれぞれの時間窓を占有している。図２に示すように、ＤＥＣＴフレームは、それぞれ４８０ビットを搬送する２４個の時間窓を包含する。ＤＥＣＴ標準では、端局が無線基地局へ伝送することができるＰ３２およびＰ８０と呼ぶ２種類のパケットが規定されており、それぞれ、４２４ビットおよび９０４ビットを含んでいるので、ＤＥＣＴフレームの各時間窓はパケットＰ３２もしくは半パケットＰ８０を含んでおり、各パケットの終端にはガード・インターバルを設けて伝送遅延を吸収するようになっている。各ＤＥＣＴパケットは、３２ビットの同期フィールドＳに引続き、Ｐ３２パケットでは３８８ビット、Ｐ８０パケットでは８６８ビットのデータ・フィールドを備えており、各データ・フィールド自身には、データ保護のために４ビットずつの冗長ビットが引続いている。
【００１７】
同期フィールドＳは、データ送信機のクロック・レートを回復させるためのプレアンブル・ワードＰを形成する第１の１６ビット長のワードと、同期ワードＳＷを形成する第２の１６ビット長のワードとからなっている。ＤＥＣＴ標準によれば、端局から送信する通信の場合に、この同期フィールドＳは、つぎのような値：
０１０１  ０１０１  ０１０１  ０１０１  ０００１  ０１１０  ０１１１  ０１０１
あるいは１６進法で５５５５  １６７５
を有する。
【００１８】
このようにして、各パケットの終端には５６ビットのガード・インターバルを設けて、端局と無線基地局との間のデータ伝送に一定の遅延を許すようにしてある。実際には、このガード・インターバルは、その最大値まで用いることができず、数ビット、以下の例では６ビットを次の時間窓の受信に備えて保留しておかねばならない。
【００１９】
タイムベースに関しては、各端局は交信中の無線基地局に従属しており、換言すれば、各端局は、送信モードでは、無線基地局から到来する受信フレームから再生されるタイムベースを利用する。端局は、無線基地局に同期すると、ＤＥＣＴフレームの時間窓の一つにより、その無線基地局にコールを送信することができる。無線基地局は受信モードで時間窓を絶えず走査し、送信中の端局に自局をロックする目的であらゆる同期ワードを検出する。
【００２０】
図３には、本発明による無線基地局ＲＦＰ１の受信部を示す。この受信部は、端局群が送信した無線信号を受信するためにアンテナＡ１に接続した非同期式のＦＳＫ無線復調器１０を備えている。復調器１０からの復調出力信号は、決定回路２０に伝送される。この決定回路２０は、復調出力信号の直流分を評価するための評価回路２０ａおよび受信データについて決断を下すために評価出力直流分と復調出力信号を比較する比較回路２０ｂを備えている。比較回路２０ｂからの再生信号は、ついで、サンプリング・タイミング回復ユニット３０に伝送される。このユニット３０の出力端に現れるサンプル出力データは、ＤＥＣＴフレーム群を処理するためのモジュール４０、特に、最初のインターバルにて、同期ワードＳＷを検出するための回路５０に供給され、その後に、ＤＥＣＴフレームを適切に処理するための回路６０に供給される。
【００２１】
前述したように、送信されるビット群は、ある遅延を伴って受信される。送信端局と無線基地局との間の距離は未知であり、この遅延は先験的には決定されない。したがって、無線局が非ロック状態にある場合には、同期ワードＳＷの最初のビットを受信し得る最小の受信瞬時と同期ワードＳＷの最後のビットを受信し得る最大の受信瞬時との範囲内で同期ワードを探索しなければならない。前述したように、５０ビットの伝送遅延が認められており、同期ワードＳＷは時間窓のビットＢ１６〜Ｂ３１を占有している。さらに、ＤＥＣＴ標準が認める公差を考慮に入れると、各時間窓の到着瞬時は＋/−６ビットの絶対ジッタの影響を受けることになる。したがって、受信フレーム群の時間窓内における任意の同期ワードに対する探索はビットＢ１０乃至ビットＢ８８内で行なわれなければならない。一方、最初の同期ワードが或る時間窓内で一旦検出されると、前述した遅延が決定され、次のフレーム内における同一時間窓に対する同期ワードの位置が、＋/−３ビットの精度で判ることになる。したがって、干渉やノイズ信号によるあらゆる妨害を避けるためには、同期ワードの探索を先行フレームにおける前記時間窓の同期ワード検出瞬時付近の＋/−３ビットの時間間隔に限定しなければならない。
【００２２】
実際には、受信信号の直流分の評価は、抵抗Ｒ、低速容量素子ＣＬおよび高速容量素子ＣＲからなるＲＣローパスフィルタである評価回路２０ａによって行なわれる。高速容量素子が選択されると、回路２０ａは受信信号の直流分を評価し、低速容量素子が選択されると、その評価は停止したものと見做すことができる。本発明の目的は、受信信号の直流分を干渉信号やノイズ信号では評価しないようにすることにある。したがって、この評価は、同期フィールドのプレアンブル・ワードＰの期間中に行ない、その後は、長い固定シーケンスのデータを伝送する場合に評価のずれをなくすために、時間窓の残りの時間中は前記評価を停止させる。したがって、無線基地局がロックされていない場合には、評価がビットＢ４７４とビットＢ７２との間で行なわれる。その後、時間窓内にての最初の同期ワードが検出された後には、プレアンブル・ワードの位置が先行フレームにおける同一時間窓のプレアンブル・ワードの位置と同じであると想定されるので、プレアンブル・ワードの期間中にのみに評価が行なわれるようにしなければならない。実際には、一つのフレームから次のフレームまでの時間窓の期間に現れるジッタは、評価の結果には影響を及ぼさないため、それを考慮する必要はない。
【００２３】
このために、無線基地局は、自動ロッキング装置７０も備えて、無線基地局のロックもしくは非ロックの状態を管理するとともに、その状態の関数として、同期ワードを検出するための回路５０の制御信号ＳＣ５０と、回路２０ａの低速もしくは高速の容量素子の選択を可能にして、受信信号の直流分を評価するための評価回路２０ａの制御信号ＳＣ２０と、その評価回路２０ａの制御信号ＳＣ２０がトリガされたときに伝送され、タイミング回復ユニット３０を再初期化するためのパルスＳＲ３０とを発生させる。
【００２４】
パケットＰ８０の場合には、同期ワードの探索および受信信号の直流分の評価は、パケットの始端に対応する時間窓、すなわち、第２時間窓毎にトリガさせるだけで済む。したがって、フレーム処理回路６０は、情報ビットＳＰ７０を自動装置７０に伝送して、パケットＰ３２もしくはＰ８０に関するものであることを自動装置７０に指示する。処理回路６０は、受信パケットのデータ・フィールドに含まれているフィールドＡからこの情報を抽出する。
【００２５】
つぎに、自動ロッキング装置７０の動作を、図４のフローチャートを参照して説明する。この図４における矢印ＤＳおよびＮＤＳは、それぞれ、同期ワードＳＷの検出および喪失を示している。自動（ロッキング）装置の状態ＥＤＶおよびＥＶは、それぞれ、無線基地局の非ロックおよびロック状態に対応している。ロック状態ＥＶは、ロックされた副状態Ｅ３と四つの中間の副状態Ｅ１，Ｅ２，Ｅ４およびＥ５とに分けられている。非ロック状態ＥＤＶから出発すると、ロック副状態Ｅ３までに移るのに、連続３回同期ワードを検出する必要がある。逆に、ロック副状態Ｅ３から出発すると、非ロック状態ＥＤＶに戻るのに、連続３回同期ワードを喪失する必要がある。非ロック状態ＥＤＶでは、同期ワード検出の期間中エラーは容認されない。ロック状態ＥＶでは、単一のエラーは許され、すなわち、一つのエラービットがあっても、同期ワードは検出されると考えられる。したがって、自動装置の安定性と伝送の品質との良好な共存を得ることが可能となる。
【００２６】
したがって、非ロック状態から出発して、同期ワードＳＷを検出すると、自動装置は第１中間副状態Ｅ１に変わり、ついで、この第１中間副状態Ｅ１から出発して、同期ワードＳＷを検出すると、第２中間副状態Ｅ２に変わり、逆の場合には、自動装置は非ロック状態ＥＤＶに復帰する。さらに、第２中間副状態Ｅ２から出発して、同期ワードＳＷを検出すると、自動装置はロック副状態Ｅ３に変わり、逆の場合には、非ロック状態ＥＤＶに復帰する。自動装置は、受信データ中の同期ワードを検出している限りは、ロック副状態Ｅ３のままであり、また、同期ワードを喪失するや否や、第３中間副状態Ｅ４に変わる。この第３中間副状態Ｅ４から出発して、同期ワードを検出すると、自動装置は、ロック副状態Ｅ３に復帰し、他方、同期ワードを検出しないと、第４中間副状態Ｅ５に変わる。この第４中間副状態Ｅ５から出発して、同期ワードを検出すると、自動装置は、ロック副状態Ｅ３に復帰し、同期ワードを検出しないと、非ロック状態ＥＤＶに変わる。
【００２７】
したがって、Ｎ＋１番目のフレームの時間窓Ｐに対する無線基地局の状態ＥＮ+１，Ｐ は、先行フレームＮの時間窓Ｐの状態ＥＮ，Ｐ および同期ワードＳの検出もしくは非検出の関数となる。
【００２８】
時間窓ＰがＮ番目に受信されると、無線局の状態ＥＮ，Ｐと同期ワードが検出された瞬時ＢＮ，Ｐとが、フレームの２４個の時間窓のそれぞれと並列に作用する自動装置７０のメモリに書込まれ、制御信号ＳＣ２０N+1,P およびＳＣ５０N+1,P並びに次のフレームＮ＋１の時間窓Ｐの再初期化信号ＳＲ３０N+1,Pを発生させるのに用いられる。無線局の状態ＥＮ，Ｐと同期ワードが検出された瞬時ＢＮ,P とは、フレームＮの時間窓Ｐの期間に書込まれ、同期ワードが受信された後は、制御信号ＳＣＭの立下がり縁の期間に書込まれる。状態ＥＮ,P と同期ワードが検出された瞬時ＢＮ,P とは、フレームＮ＋１の時間窓Ｐ−１の終端で、制御信号ＳＣＭの立上がり縁の期間に読出される。
【００２９】
図５のＡおよびＢには、パケットＰ３２について、状態ＥＤＶで発生する信号を、同期ワードが検出されたか否かに応じてそれぞれ示してあり、図５のＣには、同じくパケットＰ３２について、状態ＥＶで発生する諸信号を示してあり、時間窓Ｔ−ＩＮN,P およびＴ−ＯＵＴN,P は、それぞれ、無線基地局の入力端および同期ワード検出回路５０の入力端におけるＰ番目の時間窓のＮ番目の受信に対応している。同図におけるこれら二つの時間窓の間に現れる位置ずれは、タイミング回復ユニット３０の過渡時間によるものであり、２ビット程度のものである。
【００３０】
図５のＡによれば、無線局の状態ＥＮ,P の読出し／書込みを制御するとともに、同期ワードが検出される瞬時ＥＮ,P を制御するための信号ＳＣＭは、ビットＢ４７４で活性化され、ビットＢ８８の後に非活性化され、同期ワード検出回路を制御するための信号の信号ＳＣ５０Ｎ+1,P は、ビットＢ１０で活性化され、ビットＢ８８で非活性化さ、さらに、最後に、サンプリング・タイミング回復ユニットの再初期化パルスＳＲ３０Ｎ+1,P はビットＢ４７４で伝送される。
【００３１】
図５のＢによれば、同期ワードが一旦検出されると、換言すれば、同期ワードの最終ビットが受信された直後には、制御信号ＳＣ２０N+1,P およびＳＣ５０N+1,P が非活性化されるので、その時間窓の終端まで受信が妨害されなくなる。
【００３２】
図５のＣによれば、無線局の状態の読出しおよび書込みを制御するための制御信号ＳＣＭは、ビットＢ４７４で活性化され、ビットＢ８８の後に非活性化される。同期ワード検出回路の制御信号ＳＣ５０Ｎ+1,P は、先行フレームＮの時間窓の同期ワードの検出瞬時ＢＮ,P の３ビット前に活性化され、その検出瞬時の３ビット後に非活性化され、評価回路を制御するための制御信号ＳＣ２０Ｎ+1,P は、ビットＢN,P −３４で活性化され、ビットＢN,P −１８で非活性化され、さらに、最後に、サンプリング：タイミング回復ユニットに対する再初期化パルスＳＲ３０Ｎ+1,P はビットＢ０で伝送される。
【００３３】
この図５のＣには、Ｎ＋１番目のフレームの時間窓Ｔ−ＩＮＮ+1,P がＮ番目のフレームの時間窓Ｔ−ＩＮＮ,P に対して＋３ビットだけずれている極端な場合を表わしてあり、この場合には、同期検出回路５０の制御信号ＳＣ５０Ｎ+1,P の非活性化は、同期ワードが時間窓Ｔ−ＯＵＴＮ+1,P 内で検出される瞬時ＢＮ+1,P に対応している。
【００３４】
実際には、回路３０，５０および７０は、プログラム可能の論理回路、例えば、アルテラ(Altera)社製のＥＰＭ７１２８回路によって構成される。
【００３５】
評価回路２０ａは、１ｋΩ抵抗器ｎＦ、低速容量素子ＣＬおよび１０ｎＦ高速容量素子ＣＲによって構成するのが有利であり、一般に、容量値が１００のオーダの比を有する容量素子ＣＬおよびＣＲの選択が重要である。
【００３６】
以上に説明した実施例に対して、本発明の範囲を逸脱することなく変更を加え得ることは明白であり、特に、本発明はＤＥＣＴ標準に限定されるものではなく、他の時分割多重アクセス伝送標準も、パケットの始端にプレアンブル・ワードおよび同期ワードを設けて本発明伝送システムに用いることができる。
【図面の簡単な説明】
【図１】  本発明無線通信システムを表わすブロック線図である。
【図２】  ＤＥＣＴフレームおよびその時間窓を表わす線図である。
【図３】  本発明による無線基地局を模式的に表わすブロック線図である。
【図４】  無線基地局の非ロックもしくはロックの状態を管理する自動装置の状態を示すフローチャートである。
【図５】  Ａ，ＢおよびＣは同期ワードの検出および受信信号直流分の評価に用いる回路の制御信号のタイミングをそれぞれ表わす線図である。
【図１】
0003816976.tif 000002
【図２】
0003816976.tif 000003
【図３】
0003816976.tif 000004
【図４】
0003816976.tif 000005
【図５】
0003816976.tif 000006